(57)【特許請求の範囲】
【請求項１】
被記録媒体に記録を行う記録手段を内部に備える装置本体を有する記録機構部と、
前記装置本体の上部において前記装置本体に対し回動軸を介して回動可能に連結され、回動することにより前記装置本体の上部を開閉する、原稿を読み取る読み取り機構部と、を備え、
前記読み取り機構部は、
主走査方向に延設されるとともに、前記主走査方向と交差する副走査方向に移動可能な読み取り手段と、
前記読み取り手段を移動させるモーターと、
前記読み取り手段の移動領域を平面視して前記移動領域の外側に配置された、前記記録機構部に対して回動可能に連結される第１の連結部および第２の連結部と、を備え、
前記モーターが、前記第１の連結部及び前記第２の連結部のいずれかに配置されている、
ことを特徴とする記録装置。
【請求項２】
請求項１に記載の記録装置において、前記第１の連結部及び前記第２の連結部のうち、前記モーターが配置される連結部は、前記モーターが囲われた状態で配置されている、ことを特徴とする記録装置。
【請求項３】
請求項１または請求項２に記載の記録装置において、前記記録手段を備えるキャリッジの少なくとも一部と、前記モーターの少なくとも一部とが、装置高さ方向でオーバーラップする、
ことを特徴とする記録装置。
【請求項４】
請求項１から請求項３のいずれか一項に記載の記録装置において、前記モーターが、前記読み取り機構部の前記回動軸の軸線と交わる位置に配置されている、
ことを特徴とする記録装置。
【請求項５】
請求項１に記載の記録装置において、前記読み取り手段の位置を検出する検出器を備え、
前記検出器からの配線と前記モーターからの配線が接続される中継基板を備え、前記中継基板が、前記第１の連結部及び前記第２の連結部のうち、前記モーターが配置される方に配置されている、ことを特徴とする記録装置。
【請求項６】
請求項１から請求項５のいずれか一項に記載の記録装置において、前記装置本体は、被記録媒体をセットするセット口を上部に備え、
前記第１の連結部及び前記第２の連結部は、前記セット口を避けて配置されている、
ことを特徴とする記録装置。
【請求項７】
請求項６に記載の記録装置において、前記セット口は、前記移動領域に対し、前記主走査方向における外側に配置され、
前記第１の連結部及び前記第２の連結部は、前記副走査方向において前記セット口を挟む様に配置され、
前記移動領域を平面視して、前記移動領域、前記第１の連結部、前記第２の連結部、前記セット口、のこれらによって方形の筐体輪郭が構成される、
ことを特徴とする記録装置。
【請求項８】
請求項１から請求項７のいずれか一項に記載の記録装置において、前記読み取り機構部は、
前記モーターによって駆動される駆動プーリーと、従動回転可能な従動プーリーとの間に係回され、前記読み取り手段を牽引する無端ベルトと、
前記読み取り手段を前記副走査方向に案内するガイド部と、を備え、
前記従動プーリーが、前記ガイド部の前記副走査方向の一方側端部及び他方側端部と前記主走査方向に対向するように配置される、
ことを特徴とする記録装置。
【請求項９】
請求項１から請求項８のいずれか一項に記載の記録装置において、前記記録機構部と前記読み取り機構部とを電気的に接続するケーブルを備え、
前記ケーブルは、前記モーターが設けられる前記第１の連結部及び前記第２の連結部の少なくともいずれかから延出して前記装置本体の内部に入り、
前記装置本体の内部において前記ケーブルが接続される基板は、前記モーターが設けられる前記第１の連結部或いは前記第２の連結部に近い側の側面に配置されている、
ことを特徴とする記録装置。
【請求項１０】
原稿を読み取る載置面を有する読み取り機構部と、
前記読み取り機構部に対して回動可能に連結され、回動することにより前記載置面の上部を開閉する開閉体と、を備え、
前記読み取り機構部は、主走査方向に延設されるとともに、前記主走査方向と交差する副走査方向に移動可能な読み取り手段と、
前記読み取り手段を移動させるモーターと、
前記読み取り手段の移動領域を平面視して前記移動領域の外側に配置され、前記開閉体が回動可能に連結される第１の連結部および第２の連結部と、を備え、
前記モーターが、前記第１の連結部及び前記第２の連結部のいずれかに配置されている、
ことを特徴とする読取装置。
【発明の詳細な説明】
【技術分野】
【０００１】
本発明は、被記録媒体に記録を行う記録機構部と、原稿を読み取る読み取り機構部とを備えた記録装置に関する。また、原稿を読み取る読取装置に関する。
【背景技術】
【０００２】
被記録媒体に記録を行う記録装置には、被記録媒体に記録を行う記録機構部と、原稿を読み取る読み取り機構部を一体に備える構成のものがある。  
ところで、フラットベッド型の読み取り機構（スキャナー）における読取ユニットの移動機構には、駆動源により回転する駆動プーリー及び前記駆動プーリーに従動回転する従動プーリーに掛け回されたタイミングベルトに前記読取ユニットを固定し、駆動プーリーを回転させてタイミングベルトを移動させて前記読取ユニットを牽引する方式がある。
【０００３】
特許文献１では、読取ユニットの移動方向の両端に設けられた駆動プーリー及び従動プーリーにタイミングベルトが張架されている。  
特許文献２では、装置外部に駆動プーリー及びその駆動源を配置し、読取ユニットの移動方向の両端設けられた２つの従動プーリーと、前記駆動プーリーにタイミングベルトが張架されている。
【先行技術文献】
【特許文献】
【０００４】
【特許文献１】特開平１１−２１５３２０号公報
【特許文献２】特開２００３−７８６８２号公報
【発明の概要】
【発明が解決しようとする課題】
【０００５】
記録機構部と読み取り機構部とを備えた記録装置では、記録機構部のメンテナンス（例えばインクカートリッジ交換など）を行う為に、読み取り機構部が記録機構部に対して開閉可能に構成される場合がある。  
上述した特許文献１に係る画像読取装置や特許文献２に係る画像形成装置では、記録機構部に対して読み取り機構部を開閉する際の開閉性については特段考慮されていなかった。加えて、近年では装置のより一層の小型化の要請もある。
【０００６】
そこで本発明の目的は、被記録媒体に記録を行う記録機構部と、原稿を読み取る読み取り機構部を一体に備える記録装置において、読み取り機構部をより開閉し易くすること、或いはより小型化することの少なくともいずれかを実現することにある。
【課題を解決するための手段】
【０００７】
上記課題を解決するため、本発明の第１の態様に係る記録装置は、被記録媒体に記録を行う記録手段を備える記録機構部と、前記記録機構部の上部において前記記録機構部に対し回動可能に連結され、回動することにより前記記録機構部の上部を開閉する、原稿を読み取る読み取り機構部と、を備え、前記読み取り機構部は、主走査方向に延設されるとともに、前記主走査方向と交差する副走査方向に移動可能な読み取り手段と、前記読み取り手段の動力源と、前記読み取り手段の移動領域を平面視して前記移動領域の外側に配置された、前記記録機構部に対して回動可能に連結される第１の連結部および第２の連結部と、を備え、前記動力源が、前記第１の連結部及び前記第２の連結部の少なくともいずれかに配置されている、ことを特徴とする。
【０００８】
読み取り機構部における読み取り手段の動力源はモーターなどの重量物である場合が多いが、本態様によれば、その様な重量物が読み取り機構部の連結部、即ち回動軸付近に配置されることとなる為、読み取り機構部を開く際により小さい力で開くことができ、また、閉じる際も慣性が小さくなるので読み取り機構部や記録機構部の破損を抑制できる。  
更に、読み取り機構部を所定の開き角で保持する所謂フリーストップ機構を設ける場合には、小さい力で読み取り機構部を保持することができ、フリーストップ機構の低コスト化や軽量化を図ることができる。  
加えて前記動力源が、前記読み取り手段の移動領域を平面視して前記移動領域の外側に配置された、前記記録機構部に対して回動可能に連結される第１の連結部および第２の連結部に配置される、即ち前記読み取り機構部を回動可能とするための構成部位を利用して前記動力源が配置されるので、装置の小型化を図ることができる。
【０００９】
本発明の第２の態様に係る記録装置は、第１の態様において、前記記録手段を備えるキャリッジの少なくとも一部と、前記動力源の少なくとも一部とが、装置高さ方向でオーバーラップする、ことを特徴とする。
【００１０】
本態様によれば、前記記録手段を備えるキャリッジの少なくとも一部と、前記動力源の少なくとも一部とが、装置高さ方向でオーバーラップしているので、記録装置における高さ方向の寸法を抑制することができる。
【００１１】
本発明の第３の態様に係る記録装置は、第１の態様または第２の態様において、前記動力源が、前記読み取り機構部の回転軸線と交わる位置に配置されている、ことを特徴とする。
【００１２】
本態様によれば、前記動力源が、前記読み取り機構部の回転軸線と交わる位置に配置されているので、回動する読み取り機構部をより一層小さい力で開けることができる。また、閉じる際も、より一層慣性が小さくなるので読み取り機構部や記録機構部の破損の虞を低減できる。
【００１３】
本発明の第４の態様に係る記録装置は、第１の態様から第３の態様のいずれかにおいて、前記記録機構部は、被記録媒体をセットするセット口を上部に備え、前記第１の連結部及び前記第２の連結部は、前記セット口を避けて配置されている、ことを特徴とする。
【００１４】
本態様では、記録機構部が被記録媒体をセットするセット口を上部に備えているため、記録機構部の上部に設けられる読み取り機構部は前記セット口を避ける様に構成する必要がある。本態様によれば、前記第１の連結部および前記第２の連結部が前記セット部を避ける様に配置されているので、前記セット口の周囲のスペースを有効利用でき、装置を平面視した際の装置の大型化を抑制できる。
【００１５】
本発明の第５の態様に係る記録装置は、第４の態様において、前記セット口は、前記移動領域に対し、前記主走査方向における外側に配置され、前記第１の連結部及び前記第２の連結部は、前記副走査方向において前記セット口を挟む様に配置され、前記移動領域を平面視して、前記移動領域、前記第１の連結部、前記第２の連結部、前記セット口、のこれらによって方形の筐体輪郭が構成される、ことを特徴とする。
【００１６】
本態様によれば、前記移動領域を平面視して、前記移動領域、前記第１の連結部、前記第２の連結部、前記セット口、のこれらによって方形の筐体輪郭が構成されるので、コンパクト且つ見た目の良い外観とすることができる。
【００１７】
本発明の第６の態様に係る記録装置は、第１の態様から第５の態様のいずれかにおいて、前記読み取り機構部は、前記動力源によって駆動される駆動プーリーと、従動回転可能な従動プーリーと、の間に係回され、前記読み取り手段を牽引する無端ベルトと、前記読み取り手段を前記副走査方向に案内するガイド部と、を備え、前記従動プーリーが、前記ガイド部の一方側端部付近と他方側端部付近とに配置される、
ことを特徴とする。
【００１８】
本態様によれば、読み取り手段を牽引する無端ベルトをガイド部近くに設けることができるので、読み取り手段を円滑に移動させることができる。
【００１９】
本発明の第７の態様に係る記録装置は、第１の態様から第６の態様のいずれかにおいて、前記記録機構部と前記読み取り機構部とを電気的に接続するケーブルを備え、前記ケーブルは、前記動力源が設けられる前記第１の連結部及び前記第２の連結部の少なくともいずれかから延出して前記記録機構部の内部に入り、前記記録機構部を構成する機構部本体において前記ケーブルが接続される基板は、前記動力源が設けられる前記第１の連結部或いは前記第２の連結部に近い側の側面に配置されている、ことを特徴とする。
【００２０】
本態様によれば、前記記録機構部と前記読み取り機構部とを電気的に接続するケーブルの長さを短くすることができる。また、前記基板へのケーブルの接続を容易に行うことができる。
【００２１】
本発明の第７の態様に係る読取装置は、原稿を読み取る載置面を有する読み取り機構部と、前記読み取り機構部に対して回動可能に連結され、回動することにより前記載置面の上部を開閉する開閉体と、を備え、前記読み取り機構部は、主走査方向に延設されるとともに、前記主走査方向と交差する副走査方向に移動可能な読み取り手段と、前記読み取り手段の動力源と、前記読み取り手段の移動領域を平面視して前記移動領域の外側に配置され、前記開閉体が回動可能に連結される第１の連結部および第２の連結部と、を備え、前記動力源が、前記第１の連結部及び前記第２の連結部の少なくともいずれかに配置されている、ことを特徴とする。
【００２２】
本態様によれば、前記読み取り装置本体において、前記動力源が、前記読み取り手段の移動領域を平面視して前記移動領域の外側に配置された、前記開閉体が回動可能に連結される第１の連結部および第２の連結部の少なくともいずれかに配置される、即ち前記開閉体を回動可能とするための構成部位を利用して前記動力源が配置されるので、装置の小型化を図ることができる。
【図面の簡単な説明】
【００２３】
【図１】本発明に係るプリンターの外観斜視図。
【図２】本発明に係るプリンターにおいて手差しカバーを開いた状態を表す斜視図。
【図３】本発明に係るプリンターにおいて読み取り機構部を開いた状態を示す斜視図。
【図４】図１のＡ−Ａ矢視断面図。
【図５】図２のＢ−Ｂ矢視断面図。
【図６】読み取り機構部の斜視図。
【図７】読み取り機構部の平面図。
【図８】読み取り機構部において原稿台を外した状態を示す斜視図。
【図９】読み取り機構部の要部拡大斜視図。
【図１０】読み取り手段の移動機構の要部拡大斜視図。
【図１１】本発明に係るプリンターにおいて記録機構部の側面の外装を外した状態を示す斜視図。
【図１２】読み取り機構部本体内に設けられた読み取り手段を示す斜視図。
【図１３】読み取り手段の斜視図。
【図１４】図１３のＣ−Ｃ矢視断面図。
【図１５】ケーブルの折り方を説明する図。
【図１６】読み取り手段の要部を下方側から見た斜視図。
【図１７】実施例２に係る読取装置において原稿カバーを開いた状態を示す斜視図。
【発明を実施するための形態】
【００２４】
［実施例１］
まず、本発明の一実施例に係る記録装置の概略について説明する。本実施例において、記録装置の一例としてインクジェット式プリンター（以下、単にプリンターと称する）を例に挙げる。  
図１は、本発明に係るプリンターの外観斜視図である。図２は、本発明に係るプリンターにおいて手差しカバーを開いた状態を表す斜視図である。図３は、本発明に係るプリンターにおいて読み取り機構部を開いた状態を示す斜視図である。図４は、図１のＡ−Ａ矢視断面図である。図５は、図２のＢ−Ｂ矢視断面図である。図６は、読み取り機構部の斜視図である。図７は、読み取り機構部の平面図である。図８は、読み取り機構部において原稿台を外した状態を示す斜視図である。
【００２５】
図９は、読み取り機構部の要部拡大斜視図。図１０は、読み取り手段の移動機構の要部拡大斜視図である。図１１は、本発明に係るプリンターにおいて記録機構部の側面の外装を外した状態を示す斜視図である。図１２は、読み取り機構部本体内に設けられた読み取り手段を示す斜視図である。図１３は、読み取り手段の斜視図である。図１４は、図１３のＣ−Ｃ矢視断面図である。図１５は、ケーブルの折り方を説明する図である。図１６は、読み取り手段の要部を下方側から見た斜視図である。
【００２６】
＜プリンターの全体構成について＞
以下、プリンター１の全体構成について概説する。  
本発明に係るプリンター１（図１）は、装置本体としての記録機構部本体２内に被記録媒体の一例としての用紙にインクジェット記録を行う記録手段（後述する記録ヘッド３０、図５参照）を備えて構成される記録機構部１５と、記録機構部本体２の上部に設けられ、原稿を読み取る読み取り機構部３（図３）を備えている。即ちプリンター１は、インクジェット記録機能に加えてスキャナー機能を備える複合機として構成されている。  
記録が行われる用紙としては、普通紙、コート紙、ＯＨＰ（オーバーヘッドプロジェクター）用シート、光沢紙、光沢フィルム等が用いられる。
【００２７】
尚、各図において示すＸ−Ｙ−Ｚ座標系はＸ方向が記録ヘッドの走査方向、Ｙ方向が装置奥行き方向である。Ｚ方向は重力方向であり、装置高さ方向を示している。また、＋Ｙ方向側を装置前面側とし、−Ｙ方向側を装置背面側とする。また、装置前面側から見て右側を＋Ｘ方向、左側を−Ｘ方向とする。また、＋Ｚ方向を装置上方（上部、上面等を含む）とし、−Ｚ方向側を装置下方（下部、下面等を含む）とする。  
また、以下において、プリンター１において用紙が搬送されていく搬送方向（＋Ｙ方向側）を「下流」といい、これと反対の方向（−Ｙ方向側）を「上流」という。
【００２８】
読み取り機構部３（図３）は、記録機構部１５の記録機構部本体２に対して回動可能に設けられており、回動することにより、記録機構部１５の上部を閉じた状態（図１）と開いた状態（図３）とをとり得る。読み取り機構部３の構成については後に更に詳述する。  
尚、読み取り機構部３はその上部に開閉可能なカバー４（図１）を備えており、このカバー４が原稿台３ａ（図５、図６）を開閉する様に構成されている。またこのカバー４には弾性材（例えばスポンジ）により形成された原稿押さえマット（不図示）が設けられており、カバー４を閉じた際に、原稿台３ａに載置された原稿が前記原稿押さえマットにより押圧され、その被読み取り面が原稿台３ａに密着するようになっている。
【００２９】
装置前面において符号５は、電源ボタンや各種印刷設定・記録実行を行う操作ボタン、印刷設定内容や印刷画像のプレビュー表示などを行う表示部、等を備えて成る操作パネルである。
【００３０】
また、装置前面において符号９は下段側トレイ１３（図５）に設けられた開閉可能なカバーである。そして図５に示すように、このカバー９を開くことにより、下段側トレイ１３、上段側トレイ１４、排紙受けトレイ８、のこれらが露呈する様に構成されている。
【００３１】
排紙受けトレイ８は、図示しないモーターによって記録機構部本体２に収納された状態（図１）と、記録機構部本体２の前方側に突出した状態（図５）と、を取り得る様に設けられており、記録機構部本体２の前方側に突出した状態となることで、記録が行われて排出される用紙を受けることができる。
【００３２】
下段側トレイ１３と、その上部に設けられる上段側トレイ１４は、複数枚の用紙を収容可能であり、それぞれが独立して記録機構部本体２に対して着脱可能となっている。また、一方側が未装着状態であっても、他方側が装着されていれば、当該装着されているトレイから用紙を送り出すことができる様になっている。
【００３３】
また、記録機構部本体２の後方上部において符号６は開閉可能な手差しカバーであり、この手差しカバー６を図２のように開くことにより、手差しトレイ７を利用した用紙の手差しでの給紙が行える様になっている。
【００３４】
続いて、図５を参照しつつプリンター１の用紙搬送経路について説明する。初めに、手差しトレイ７からの用紙の給送について説明し、その後、装置底部に設けられる下段側トレイ１３或いは上段側トレイ１４からの用紙の給送について説明する。  
尚、図５において、手差しトレイ７からの用紙Ｐの給送経路Ｔ１を二点鎖線で示している。また、下段側トレイ１３或いは上段側トレイ１４から搬送駆動ローラー２４の上流側までの用紙Ｐの給送経路Ｔ２を点線で示している。
【００３５】
手差しトレイ７のセット口５０にセットされた用紙は、最上位の用紙が第２給送ローラー２１によってピックアップされて下流側に送られる。  
第２給送ローラー２１の先には、図示しないモーターによって回転駆動される搬送駆動ローラー２４と、該搬送駆動ローラー２４に接して従動回転する搬送従動ローラー２５とが設けられており、これらローラーによって用紙Ｐが記録ヘッド３０の下へと送られる。
【００３６】
続いて液体としてのインクを吐出する記録ヘッド３０は、キャリッジ２９の底部に設けられ、当該キャリッジ２９は図示しないモーターによって副走査方向（Ｘ軸方向）に往復動する様に駆動される。
【００３７】
記録ヘッド３０と対向する位置には、搬送される用紙Ｐを支持する媒体支持部材２８が設けられ、当該媒体支持部材２８によって、用紙Ｐと記録ヘッド３０との間の間隔（ＰＧ）が規定される。  
そして媒体支持部材２８の下流側には、図示しないモーターによって回転駆動される排出駆動ローラー３１と、当該排出駆動ローラー３１に接して従動回転する排出従動ローラー３２とが設けられている。記録ヘッド３０によって記録の行われた用紙Ｐは、これらローラーにより、上述した排紙受けトレイ８へ向けて排出される。
【００３８】
またプリンター１は、装置底部に下段側トレイ１３及び上段側トレイ１４を備え、当該下段側トレイ１３或いは上段側トレイ１４からも用紙を１枚ずつ給送することができる。  
上段側トレイ１４は、給送可能位置（図５）と、装置前面側（図５において右方向：上段側トレイ１４の引き抜き方向側）に移動した退避位置(不図示）との間をスライド（変位）可能に設けられており、図示しないモーターの動力を受けて、給送可能位置と退避位置とを変位する様に構成されている。  
尚、図５においては、下段側トレイ１３に収容される用紙を符号Ｐ１で、上段側トレイ１４に収容される用紙を符号Ｐ２で、それぞれ示している（以下、特に区別する必要がない場合は「用紙Ｐ」と言う）。
【００３９】
図示しないモーターによって回転駆動される第１給送ローラー（ピックアップローラーとも呼ばれる）１０は、回動軸１２を中心に揺動するローラー支持部材１１（ピックアップアームや揺動部材とも呼ばれる）に設けられており、上段側トレイ１４が最も装置後方側（図５において左方向：上段側トレイ１４の装着方向側であり、用紙送り出し方向側でもある）にスライドした突き当たり位置にあるとき、即ち上段側トレイ１４の給送可能位置では、第１給送ローラー１０が上段側トレイ１４に収容された用紙Ｐ２の最上位のものと接して回転することにより、当該最上位の用紙Ｐ２を上段側トレイ１４から送り出す。
【００４０】
一方、上段側トレイ１４が装置前面側（＋Ｙ側）にスライドした状態、即ち上段側トレイ１４が前述した退避位置にあるときは、ローラー支持部材１１が回動軸１２を中心に揺動し、第１給送ローラー１０が下段側トレイ１３に収容された用紙Ｐ１の最上位のものと接することができ、第１給送ローラー１０が回転することにより、当該最上位の用紙Ｐ１を下段側トレイ１３から送り出すようになっている。  
尚、下段側トレイ１３及び上段側トレイ１４は、前述したように、いずれか一方側が装着されていない場合であっても、他方側から用紙を給送可能となっている。
【００４１】
第１給送ローラー１０の下流側には、図示しないモーターによって回転駆動される中間ローラー１７が設けられており、この中間ローラー１７によって用紙Ｐは湾曲反転させられ、装置前方側へと向かう。尚、符号１９、２０は従動回転可能な従動ローラーであり、少なくとも用紙Ｐは、従動ローラー１９と中間ローラー１７とによってニップされ、また従動ローラー２０と中間ローラー１７とによってニップされて、下流側へと送られる。
【００４２】
点線で示す給送経路Ｔ２に沿って送られた用紙は、搬送駆動ローラー２４及び搬送従動ローラー２５の手前において給送経路Ｔ１（二点鎖線）と合流し、それ以降下流側においては、手差しトレイ７から給送された用紙と同様に、搬送駆動ローラー２４及び搬送従動ローラー２５によって搬送され、記録ヘッド３０による記録が行われた後に、排出駆動ローラー３１及び排出従動ローラー３２により排紙受けトレイ８へ向けて排出される。
【００４３】
また、用紙Ｐの両面を記録する場合には、表（おもて）面を記録ヘッド３０で記録した後、スイッチバックさせることで、用紙Ｐを中間ローラー１７の下側から給送経路に侵入させ、湾曲反転させることで、用紙Ｐの裏（うら）面に記録を行うことができる。尚、符号１８は中間ローラー１７の回転に従動回転可能な従動ローラーである。
【００４４】
＜読み取り機構部の構成について＞  
続いて、読み取り機構部３の構成について説明する。  
読み取り機構部３（図３）は、前述したように、記録機構部１５の上部において、記録機構部１５の記録機構部本体２に対して回動可能に連結されており、回動することにより記録機構部１５の上部を開閉する。  
より具体的には、読み取り機構部３は、第１の連結部３５および第２の連結部３６において、記録機構部１５に対して回動可能に連結されている。第１の連結部３５および第２の連結部３６には、それぞれに回動軸３５ａ、３６ａが設けられており、記録機構部本体２側に設けられる不図示の軸受けに回動軸３５ａ、３６ａが軸支されて、記録機構部１５の上部を開閉するように読み取り機構部３が回動する。
【００４５】
読み取り機構部３は原稿台３ａ（図６）を備え、原稿台３ａの上面が原稿を載置する原稿載置面となる。原稿台３ａは本実施例では透明なガラス板である。原稿台３ａの周囲は複数のフレーム３３ａ、３３ｂ、３３ｃ、３３ｄ（図６、図７）により構成されており、これらフレーム３３ａ、３３ｂ、３３ｃ、３３ｄにより画設された矩形領域（図７、符号３４）が、読み取り機構部本体４０内を移動する読み取り手段３７によって読み取りが可能な原稿読み取り領域３４となる。  
すなわち、本実施例において読み取り機構部３はフラットべッド型のスキャナーであり、原稿台３ａの下側に、読み取り手段３７が原稿台３ａに対して相対的に移動可能に設けられている。
【００４６】
読み取り手段３７は読み取り機構部本体４０内に設けられ、主走査方向（Ｙ軸方向）に延設されるとともに、後述する移動機構４３により、前記主走査方向と交差する副走査方向（Ｘ軸方向）に移動可能に構成されている。尚、本実施例では、前記主走査方向は原稿読み取り領域の短辺方向に対応しており、前記副走査方向が原稿読み取り領域の長辺方向に対応している。  
読み取り手段３７は、その移動方向（Ｘ軸方向）において、原稿読み取り領域３４の＋Ｘ側の位置（図７において一点鎖線で示す読み取り手段３７の位置）から−Ｘ側の位置（図７において二点鎖線で示す読み取り手段３７の位置）まで移動する。したがって、符号３８の点線で示す矩形領域が読み取り手段３７の移動領域３８である。
【００４７】
読み取り手段３７は、読取センサー３９と読取センサー３９を保持するセンサーキャリッジ４１とによって構成されている（図１２）。  
読取センサー３９は、不図示の光源と受光部を備え、原稿台３ａに載置された原稿に光源から光を照射し、該原稿からの反射光を受光部で受光して原稿の情報を読み取る光学センサーであり、例えばＣＣＤ（Charge Coupled Devices）方式或いはＣＩＳ（Contact
Image Sensor)方式の光学センサーを用いることができる。
【００４８】
読み取り手段３７（図１２）を構成するセンサーキャリッジ４１は、その下部に設けられるスライド部６３においてガイド部４２に対して移動可能に係合し、ガイド部４２に案内されて、センサーキャリッジ４１を移動させる動力源としてのモーター４４（図８）の動力によって副走査方向（Ｘ軸方向）に移動するように構成されている。  
より具体的には、センサーキャリッジ４１は、以下に詳述するベルト駆動による移動機構４３（図８）により駆動され、ガイド部４２に案内されてＸ軸方向にスライド移動する。すなわち、読み取り手段３７は、モーター４４の動力によって移動するように構成されている。
【００４９】
センサーキャリッジ４１（読み取り手段３７）の移動機構４３は、図８に示すように、モーター４４によって駆動される駆動プーリー４５と、駆動プーリー４５に従動回転可能な２つの従動プーリー４６、従動プーリー４７と、駆動プーリー４５、従動プーリー４６、及び従動プーリー４７との間に係回される無端ベルト４８を備えている。  
従動プーリー４６と従動プーリー４７は、ガイド部４２の一方側端部付近と他方側端部付近とに配置されている。  
尚、符号４９は無端ベルト４８にテンションを与える付勢部である。付勢部４９は、駆動プーリー４５と従動プーリー４６の間の他、駆動プーリー４５と従動プーリー４７の間、或いは従動プーリー４６と従動プーリー４７に設けることもできる。
【００５０】
センサーキャリッジ４１は、無端ベルト４８においてガイド部４２に沿う部分、すなわち、従動プーリー４６及び従動プーリー４７との間の位置において、無端ベルト４８に固定されており、モーター４４が駆動することによって無端ベルト４８が回動し、センサーキャリッジ４１が無端ベルト４８に牽引されてＸ軸方向に往復移動するように構成されている。この構成により、ガイド部４２近くに設けられる無端ベルト４８によって読み取り手段３７を牽引するので、読み取り手段３７を円滑に移動させることができる。
【００５１】
尚、モーター４４には、読み取り手段３７の位置を検出するためのエンコーダー５９（図１０）が設けられており、更に、モーター４４の配線（不図示）とエンコーダー５９の配線（不図示）を配線６１（図９）に一元化する中継基板６０を有している。モーター４４の駆動はウォームギア６２（図９）を介して駆動プーリー４５へ伝達され、駆動プーリー４５によって無端ベルト４８及び無端ベルト４８に固定される読み取り手段３７へ動力伝達が行われる。
【００５２】
ここで、モーター４４は、読み取り手段３７の移動領域３８を平面視したとき（図７）に移動領域３８の外側に配置される第１の連結部３５の位置に配置されている。  
読み取り機構部３における読み取り手段３７の動力源であるモーター４４は、比較的重量がある（重たい）場合が多い。重量物であるモーター４４が読み取り機構部３の回動軸３５ａが設けられる第１の連結部３５に配置されることにより、読み取り機構部３を開く際により小さい力で開くことができる。また、閉じる際も慣性が小さくなるので、例えば読み取り機構部３を閉じた際の衝撃等により読み取り機構部３や記録機構部１５が破損する虞を抑制できる。
【００５３】
加えて、例えば読み取り機構部３を所定の開き角で保持する、所謂フリーストップ機構を設ける場合には、小さい力で読み取り機構部３を保持することができるので、フリーストップ機構の低コスト化や軽量化を図ることができる。以って、プリンター１の低コスト化、軽量化に繋がる。  
尚、モーター４４は、第１の連結部３５及び第２の連結部３６の少なくともいずれかに配置されていればよく、第２の連結部３６側に配置することも可能である。
【００５４】
加えてモーター４４が、読み取り機構部３を回動可能とするための構成部位である第１の連結部３５を利用して配置されているので、装置の小型化を図ることができる。
【００５５】
モーター４４は、第１の連結部３５の位置において、特に読み取り機構部３の回転軸線、すなわち、回動軸３５ａの軸線と交わる位置に配置されていることが望ましい。更に、モーター４４の重心が読み取り機構部３の回転軸線と交わる位置に配置されていることが一層望ましい。  
このことにより、回動して開閉する読み取り機構部３をより一層小さい力で開けることができる。また、閉じる際も、より一層慣性が小さくなるので読み取り機構部３や記録機構部１５の破損の虞を低減できる。
【００５６】
また、本実施例においてモーター４４の少なくとも一部は、記録ヘッド３０を備えるキャリッジ２９の少なくとも一部と、装置高さ方向（Ｚ軸方向）でオーバーラップするように設けられている（図４）。言い換えると、モーター４４の少なくとも一部と、キャリッジ２９の少なくとも一部とが、装置高さ方向において同じ位置にあるように設けられている。このことにより、プリンター１における高さ方向の寸法を抑制することができる。
【００５７】
例えばガイド部４２の両端の位置に設けられる駆動プーリーと従動プーリーとの間に無端ベルトを張架するような従来技術（例えば特許文献１）では、駆動プーリーの動力源（モーター等）を駆動プーリーの近くに配置することになるため、前記動力源は読み取り機構部３の下方に位置する記録機構部１５の構成部材と干渉しない高さに設けられる。ガイド部４２は読み取り機構部本体４０のＹ軸方向の中心付近に設けられるが、記録機構部本体２内のその位置（Ｙ軸方向の中心付近）には、キャリッジ２９等の構成部材が設けられるので、装置高さ方向のコンパクト化には限界があった。  
本実施例では、モーター４４が読み取り機構部本体４０のＹ軸方向の端部に近い第１の連結部３５の位置に設けられているので、モーター４４のレイアウトの自由度が向上する。
【００５８】
尚、第１の連結部３５及び第２の連結部３６は、読み取り機構部３の外観を構成する読み取り機構部本体４０の一部の区画であり、記録機構部本体２に連結される部分である。  
本実施例において読み取り手段３７の移動領域３８（図７を参照）は、Ｘ軸方向において、読み取り可能な最大サイズの原稿（例えばＡ４サイズやレターサイズ）に対応する原稿読み取り領域３４に対し、その両側に読み取り手段３７が位置する領域の分だけ大きくなっている。読み取り機構部本体４０のＸ軸方向の幅は、読み取り手段３７の移動領域３８に対応する大きさとなっている。
【００５９】
また、記録機構部１５は、読み取り機構部３において読み取り可能な最大サイズの原稿と同サイズの用紙に対して記録を行うことができ、手差しトレイ７の用紙のセット口５０は、用紙の長辺を搬送方向（Ｙ軸方向）に沿う向きにしてセットするようになっている。  
そのため、用紙のセット口５０のＸ軸方向の幅は、読み取り機構部本体４０のＸ軸方向の幅よりも狭くなる。
【００６０】
図１１のように、上下に重ねて配置される記録機構部本体２と読み取り機構部本体４０の幅サイズは同じである方が外観上見栄えもよく、凹凸のない取り扱い易い形状とすることができるが、セット口５０は読み取り機構部本体４０よりも幅狭であるので、Ｘ軸方向に余剰領域ができる。  
そこで本実施例では、第１の連結部３５及び第２の連結部３６は、セット口５０のＸ軸方向の余剰領域に設けられる区画として構成されている。
【００６１】
すなわち、読み取り機構部３の第１の連結部３５及び第２の連結部３６は、記録機構部１５における手差しトレイ７の用紙のセット口５０の用紙幅方向の両側に設けられている（図７）。  
より詳細に説明すると、セット口５０は、読み取り手段３７の移動領域３８に対し、主走査方向（Ｙ軸方向）における外側に配置され、第１の連結部３５及び第２の連結部３６は、副走査方向（Ｘ軸方向）においてセット口５０を挟む様に配置され、移動領域３８を平面視して、移動領域３８、第１の連結部３５、第２の連結部３６、セット口５０、のこれらによって方形の筐体輪郭が構成されている。これにより、コンパクト且つ見た目の良い外観とすることができる。
【００６２】
尚、移動領域３８、第１の連結部３５及び第２の連結部３６の配置は、本実施例のような配置の他、記録機構部１５における用紙のセット口５０を避ける他の位置に配置されていてもよい。  
第１の連結部３５及び第２の連結部３６を、セット口５０を避ける位置に配置することにより、セット口５０の周囲のスペースを有効利用でき、プリンター１を平面視した際の装置の大型化を抑制できる。
【００６３】
また、読み取り機構部３において、センサーキャリッジ４１に保持される読取センサー３９は、その下面側（−Ｚ方向側）に読取センサー３９が読み取った読取データを電気信号に変換するセンサー基板５１（図１４）を備え、センサー基板５１には、ケーブル５２（本実施例ではフレキシブルフラットケーブル、ＦＦＣ）の一端が接続される接続部５３が設けられている。  
ケーブル５２の他端は、記録機構部１５側に設けられるメイン基板５４（図１１）側の接続部５５（図１１）に接続される。  
ケーブル５２は、読み取り機構部３側のセンサー基板５１において電気信号に変換された画像の読取データを、記録機構部１５側に設けられるメイン基板５４に伝送するケーブルであり、記録機構部１５と読み取り機構部３とを電気的に接続するケーブルである。
【００６４】
ケーブル５２は、図１３又は図１４に示すように読取センサー３９の下面側から引き出されてセンサーキャリッジ４１の＋Ｘ方向側の側面に沿って−Ｙ方向に延設され、続いて図８に示すように読み取り機構部本体４０の−Ｙ側の内壁面に沿ってモーター４４が設けられる第１の連結部３５に入り、更に図９に示すように第１の連結部３５の回動軸３５ａの近傍から延出して読み取り機構部３の外に出て、図１１に示すように記録機構部１５の内部に入るように設けられている。
【００６５】
そして、記録機構部１５を構成する記録機構部本体２においてケーブル５２が接続されるメイン基板５４は、第１の連結部３５に近い側の側面５６に配置されている（図１１）。  
記録機構部１５側のメイン基板５４が、モーター４４が設けられる第１の連結部３５に近い側の側面５６に設けられていることにより、記録機構部１５と読み取り機構部３とを接続するケーブル５２の長さを短くすることができる。また、メイン基板５４へのケーブル５２の接続を容易に行うことができる。第２の連結部３６側にモーター４４を設ける場合も、同様の構成とすることができる。その場合には、第２の連結部３６に近い側面５７側にメイン基板５４が設けられる。
【００６６】
尚、読み取り機構部本体４０の−Ｙ側の内壁面に沿って設けられるケーブル５２（図８）は、固定部５８ａ、５８ｂ、５８ｃによって内壁面に固定されている。符号５８ｃで示す固定位置よりも＋Ｘ側のケーブル５２はフリーの状態であり、センサーキャリッジ４１の移動、すなわち、読み取り手段３７の移動に追従可能に構成されている。
【００６７】
［実施例２］
以下において、図１７を参照して、本発明に係る読取装置の一例について説明する。図１７は、実施例２に係る読取装置において原稿カバーを開いた状態を示す斜視図である。  
図１７に示す読取装置７０は、読み取り手段７６を備える読み取り機構部７１を備えて構成されている。  
読み取り機構部７１に設けられる読み取り手段７６及びその移動機構７７については、実施例１のプリンター１の読み取り機構部３に設けられる読み取り手段３７と移動機構４３と同様の構成とすることができる。したがって、その詳細な説明は省略する。  
尚、図１７において、読み取り機構部７１の上面を構成する原稿台は図示を省略している。
【００６８】
また、読み取り機構部７１は、図１７において二点鎖線で示す原稿カバー７２を備えている。原稿カバー７２は、読み取り機構部７１に対して回動可能に連結され、回動することにより読み取り機構部７１の上部を開閉する開閉体として設けられている。  
より具体的には、原稿カバー７２は、読み取り機構部７１における読み取り手段７６の移動領域８０の外側に配置され、第１の連結部７４および第２の連結部７５に回動可能に連結されている。
【００６９】
そして、第１の連結部７４には、移動する読み取り手段７６の動力源としてのモーター７８が設けられている。  
読み取り機構部７１において読み取り手段７６を駆動するモーター７８が、原稿カバー７２を回動可能とするための構成部位である第１の連結部７４を利用して配置されることにより、読取装置７０の小型化を図ることができる。  
尚、原稿カバー７２は、読み取る原稿を自動で送るオートドキュメントフィーダーをカバー上部に備える構成であってもよい。  
また、モーター７８は、第２の連結部７５側に設けることも勿論可能である。
【００７０】
尚、本発明は上記実施形態に限定されることなく、特許請求の範囲に記載した発明の範囲内で種々の変形が可能であり、それらも本発明の範囲内に含まれることは言うまでもない。
【００７１】
＜読み取り機構部における他の構成＞
以下において、読み取り機構部３における他の構成について説明する。  
読取センサー３９は、センサーキャリッジ４１との間に設けられるバネ６４（図１２、図１６）によって＋Ｚ方向に付勢され、読取センサー３９が原稿台３ａの裏面に押し付けられている。  
装置の高さ方向のサイズを抑える場合、読取センサー３９とセンサーキャリッジ４１の隙間を小さくする必要があるが、前記隙間に設けられるバネ６４の動作長も短くなるため、読取センサー３９を原稿台３ａに押し付けるための必要荷重が得難くなる。プリンター１においては、複数のバネ６４（プリンター１においては３つ）を設けることにより、僅かな隙間にバネ６４を設けるとともに読取センサー３９を原稿台３ａに押し付けるための必要荷重を実現している。
【００７２】
またバネ６４は、センサーキャリッジ４１（読み取り手段３７）の主走査方向の＋Ｙ側端部に設けられている。読取センサー３９を原稿台３ａに押し付けるバネ６４が、無端ベルト４８から離れた位置に設けられていることにより、無端ベルト４８とセンサーキャリッジ４１が接触することを抑制または回避することができる。
【００７３】
続いて、読取センサー３９の下面側から引き出されるケーブル５２は、図１４に示すように、第１折り部６６で折り曲げられて、センサーキャリッジ４１の＋Ｘ方向側の側面に沿うように方向が変えられて固定部６５において固定されている。  
そしてケーブル５２は、読取センサー３９の下面側、すなわち第１折り部６６よりも接続部５３側に、更に第２折り部６７、第３折り部６８の２つの折り部を有している（図１５も参照）。第２折り部６７と第３折り部６８は折り方向が互いに反対になっている。例えば、第２折り部６７が山折りのとき、第３折り部６８が谷折りになっている。
【００７４】
ここで、読取センサー３９の焦点距離を維持するため、読取センサー３９は常に原稿台３ａの裏面に押圧される。読取センサー３９は、センサーキャリッジ４１が移動する際に上下動したとしても、常に原稿台３ａの裏面に当接するように付勢するバネ６４（図１２）が設けられている。したがって、読取センサー３９はセンサーキャリッジ４１に対し、上下に移動可能である必要がある。  
ケーブル５２に第２折り部６７、第３折り部６８が設けられていることにより、読取センサー３９の接続部５３からセンサーキャリッジ４１における固定部６５との間において、読取センサー３９のセンサーキャリッジ４１に対する上下の移動を許容するケーブル５２の長さをとることができる。
【符号の説明】
【００７５】
１…プリンター（記録装置）、２…記録機構部本体、３…読み取り機構部、
４…カバー、５…操作パネル、６…手差しカバー、７…手差しトレイ、
８…排紙受けトレイ、９…カバー、１０…第１給送ローラー、
１１…ローラー支持部材、１２…回動軸、１３…下段側トレイ、
１４…上段側トレイ、１５…記録機構部、１７…中間ローラー、１８…従動ローラー、
１９…従動ローラー、２０…従動ローラー、２１…第２給送ローラー、
２４…搬送駆動ローラー、２５…搬送従動ローラー、２８…媒体支持部材、
２９…キャリッジ、３０…記録ヘッド（記録手段）、３１…排出駆動ローラー、
３２…排出従動ローラー、３３ａ、３３ｂ、３３ｃ、３３ｄ…フレーム、
３４…原稿読み取り領域、３５…第１の連結部、３６…第２の連結部、
３７…読み取り手段、３８…移動領域、３９…読取センサー、
４０…読み取り機構部本体、４１…センサーキャリッジ、４２…ガイド部、
４３…移動機構、４４…モーター（動力源）、４５…駆動プーリー、
４６…従動プーリー、４７…従動プーリー、４８…無端ベルト、４９…付勢部、
５０…セット口、５１…センサー基板、５２…ケーブル、５３…接続部、
５４…メイン基板、５５…接続部、５６…側面、５７…側面、
５８ａ、５８ｂ、５８ｃ…固定部、５９…エンコーダー、６０…中継基板、
６１…配線、６２…ウォームギア、６３…スライド部、６４…バネ、
６５…固定部、６６…第１折り部、６７…第２折り部、６８…第３折り部、
７０…読取装置、７１…読み取り機構部、７２…原稿カバー（開閉体）、
７４…第１の連結部、７５…第２の連結部、７６…読み取り手段、
７７…移動機構、７８…モーター（動力源）、８０…移動領域、
Ｐ、Ｐ１、Ｐ２  用紙（被記録媒体）
【図１】
0006660009.tif 000002
【図２】
0006660009.tif 000003
【図３】
0006660009.tif 000004
【図４】
0006660009.tif 000005
【図５】
0006660009.tif 000006
【図６】
0006660009.tif 000007
【図７】
0006660009.tif 000008
【図８】
0006660009.tif 000009
【図９】
0006660009.tif 000010
【図１０】
0006660009.tif 000011
【図１１】
0006660009.tif 000012
【図１２】
0006660009.tif 000013
【図１３】
0006660009.tif 000014
【図１４】
0006660009.tif 000015
【図１５】
0006660009.tif 000016
【図１６】
0006660009.tif 000017
【図１７】
0006660009.tif 000018